(57)【要約】  複数のニューメロロジーが用いられる場合であっても下り制御チャネルのモニタリングを適切に制御すること。ユーザ端末は、下り制御チャネルを受信する受信部と、前記下り制御チャネルのモニタリングに対し、サブキャリア間隔に関連付けられた、周期及び開始タイミングのオフセットを用いて、前記モニタリングを制御する制御部と、を有する。
2019142272.tif 000002
【特許請求の範囲】
【請求項１】
下り制御チャネルを受信する受信部と、
前記下り制御チャネルのモニタリングに対し、サブキャリア間隔に関連付けられた、周期及び開始タイミングのオフセットを用いて、前記モニタリングを制御する制御部と、を有することを特徴とするユーザ端末。
【請求項２】
前記制御部は、前記サブキャリア間隔に関連付けられた、スロット単位のオフセット、シンボル単位のオフセット、モニタリングの時間長、の少なくとも１つを用いて、前記モニタリングを制御することを特徴とする請求項１に記載のユーザ端末。
【請求項３】
前記制御部は、前記ユーザ端末に固有の第１下り制御チャネルのモニタリングの周期及びオフセットを決定し、ユーザ端末グループに共通の第２下り制御チャネルのモニタリングの周期及びオフセットを決定することを特徴とする請求項１又は請求項２に記載のユーザ端末。
【請求項４】
前記制御部は、前記ユーザ端末に固有の第１下り制御チャネルのモニタリングと、ユーザ端末のグループに共通の第２下り制御チャネルのモニタリングと、の両方に用いられる周期及びオフセットを決定することを特徴とする請求項１又は請求項２に記載のユーザ端末。
【請求項５】
前記制御部は、それぞれが周期及びオフセットを含む複数のパラメータセットが予め設定され、前記複数のパラメータセットの１つを用いて、前記第１下り制御チャネル及び前記第２下り制御チャネルの少なくとも１つのモニタリングを制御することを特徴とする請求項３又は請求項４に記載のユーザ端末。
【請求項６】
下り制御チャネルを受信する工程と、
前記下り制御チャネルのモニタリングに対し、サブキャリア間隔に関連付けられた、周期及び開始タイミングのオフセットを用いて、前記モニタリングを制御する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
基地局は、ユーザ端末（ＵＥ：User  Equipment）に対するデータの割当て（スケジューリング）を制御する。基地局は、下り制御チャネル（例えば、ＰＤＣＣＨ（Physical  Downlink  Control  Channel））を用いて、データのスケジューリング指示を示す下り制御情報（ＤＣＩ：Downlink  Control  Information）を、ＵＥに通知する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）においては、複数のニューメロロジー（例えば、サブキャリア間隔）を用いることが検討されている。【０００７】
通常ＰＤＣＣＨ及びグループ共通（Group  Common：ＧＣ）−ＰＤＣＣＨを用いることが検討されている。これらのＰＤＣＣＨのモニタリングをどのようにして決定するかはまだ検討されていない。【０００８】
ＰＤＣＣＨのモニタリングを適切に制御する手法を確立しなければ、スループットの低下などが生じる場合がある。【０００９】
そこで、本開示は、複数のニューメロロジーが用いられる場合であっても下り制御チャネルのモニタリングを適切に制御できるユーザ端末及び無線通信方法を提供することを目的の１つとする。
【課題を解決するための手段】
【００１０】
本開示の一態様に係るユーザ端末は、下り制御チャネルを受信する受信部と、前記下り制御チャネルのモニタリングに対し、サブキャリア間隔に関連付けられた、周期及び開始タイミングのオフセットを用いて、前記モニタリングを制御する制御部と、を有することを特徴とする。
【発明の効果】
【００１１】
本開示の一態様によれば、複数のニューメロロジーが用いられる場合であっても下り制御チャネルのモニタリングを適切に制御できる。
【図面の簡単な説明】
【００１２】
【図１】モニタリング機会の一例を示す図である。
【図２】ＳＣＳ、モニタリング周期、モニタリングオフセットの関係の一例を示す図である。
【図３】モニタリング周期、スロットオフセットを用いるモニタリングの一例を示す図である。
【図４】モニタリング周期、スロットオフセット、シンボルオフセットを用いるモニタリングの一例を示す図である。
【図５】モニタリング周期、スロットオフセット、シンボルオフセット、時間長を用いるモニタリングの一例を示す図である。
【図６】パラメータセットの一例を示す図である。
【図７】図７Ａ及び図７Ｂは、それぞれ１５ｋＨｚ及び３０ｋＨｚのＳＣＳに対するＧＣ−ＰＤＣＣＨ用パラメータセットの一例を示す図である。
【図８】図８Ａ及び図８Ｂは、それぞれ６０ｋＨｚ及び１２０ｋＨｚのＳＣＳに対するＧＣ−ＰＤＣＣＨ用パラメータセットの一例を示す図である。
【図９】ＧＣ−ＰＤＣＣＨ用パラメータセットの一例を示す図である。
【図１０】ＧＣ−ＰＤＣＣＨ用パラメータセットの別の一例を示す図である。
【図１１】図１１Ａ及び図１１Ｂは、それぞれ１５ｋＨｚ及び３０ｋＨｚのＳＣＳに対する共通パラメータセットの一例を示す図である。
【図１２】図１２Ａ及び図１２Ｂは、それぞれ６０ｋＨｚ及び１２０ｋＨｚのＳＣＳに対する共通パラメータセットの一例を示す図である。
【図１３】共通パラメータセットの一例を示す図である。
【図１４】共通パラメータセットの別の一例を示す図である。
【図１５】一実施形態に係る無線通信システムの概略構成の一例を示す図である。
【図１６】一実施形態に係る無線基地局の全体構成の一例を示す図である。
【図１７】一実施形態に係る無線基地局の機能構成の一例を示す図である。
【図１８】一実施形態に係るユーザ端末の全体構成の一例を示す図である。
【図１９】一実施形態に係るユーザ端末の機能構成の一例を示す図である。
【図２０】一実施形態に係る無線基地局及びユーザ端末のハードウェア構成の一例を示す図である。
【発明を実施するための形態】
【００１３】
将来の無線通信システム（例えば、ＮＲ、５Ｇ及び５Ｇ＋の少なくとも１つなど。以下、単にＮＲともいう）では、下り制御情報（ＤＣＩ：Downlink  Control  Information）を伝送するための下り制御チャネルが検討されている。
【００１４】
ＵＥは、自端末に設定された１つ又は複数の制御リソースセット（ＣＯＲＥＳＥＴ：control  resource  set）をモニタ（ブラインド復号と呼ばれてもよい）して、下り制御情報を検出する。
【００１５】
ＤＬデータ（例えば、下り共有チャネル（ＰＤＳＣＨ：Physical  Downlink  Shared  Channel））受信及び／又はＤＬ参照信号の測定をスケジューリングするＤＣＩは、ＤＬアサインメント、ＤＬグラント、ＤＬ  ＤＣＩなどと呼ばれてもよい。ＵＬデータ（例えば、上り共有チャネル（ＰＵＳＣＨ：Physical  Uplink  Shared  Channel））送信及び／又はＵＬサウンディング（測定用）信号の送信をスケジューリングするＤＣＩは、ＵＬグラント、ＵＬ  ＤＣＩなどと呼ばれてもよい。
【００１６】
ＮＲにおいては、下り制御チャネルとして、１つのＵＥ向けのＰＤＣＣＨ（ＵＥ固有ＰＤＣＣＨ、通常ＰＤＣＣＨ（Regular  PDCCH）などと呼ばれてもよい）以外にも、１つ以上のＵＥに共通のＰＤＣＣＨ（グループ共通ＰＤＣＣＨ（ＧＣ−ＰＤＣＣＨ：Group  Common  PDCCH）、ＵＥグループ共通ＰＤＣＣＨなどと呼ばれてもよい）が検討されている。
【００１７】
「通常ＰＤＣＣＨ」は、ＰＤＳＣＨ及び／又はＰＵＳＣＨをスケジューリングするＤＣＩを伝送するＰＤＣＣＨを表してもよい。「通常ＰＤＣＣＨ」は、Ａ−ＳＲＳ（Aperiodic  Sounding  Reference  Signal）及び／又はＡ−ＣＳＩ（Aperiodic  Channel  State  Information）の測定、報告などをトリガーするＤＣＩを伝送するＰＤＣＣＨを表してもよい。「通常ＰＤＣＣＨ」は、ＳＰＳ（Semi-Persistent  Scheduling）、ＵＬグラントフリー送信及び／又はＳＰ−ＣＳＩ（Semi-Persistent  CSI）を制御（アクティベート、リリース）するＤＣＩを伝送するＰＤＣＣＨを表してもよい。
【００１８】
ＧＣ−ＰＤＣＣＨによって伝送されるＤＣＩは、グループ共通ＤＣＩと呼ばれてもよい。
【００１９】
以下、「ＰＤＣＣＨ」という表記は、「ＧＣ−ＰＤＣＣＨ及び／又は通常ＰＤＣＣＨ」と読み替えられてもよい。
【００２０】
ＧＣ−ＰＤＣＣＨのモニタリングの周期（periodicity、period、モニタリング周期）がサブキャリア間隔（Subcarrier  Spacing：ＳＣＳ）に依存することが検討されている。例えば、１５ｋＨｚ  ＳＣＳ（１５ｋＨｚに基づくスロット）に対し、１、２、５、１０、２０スロットがサポートされ、３０ｋＨｚ  ＳＣＳ（３０ｋＨｚに基づくスロット）に対し、１、２、４、５、１０、２０スロットがサポートされ、６０ｋＨｚ  ＳＣＳ（６０ｋＨｚに基づくスロット）に対し、１、２、４、５、８、１０、２０スロットがサポートされ、１２０ｋＨｚ  ＳＣＳ（１２０ｋＨｚに基づくスロット）に対し、１、２、４、５、１０、２０スロットがサポートされる。
【００２１】
モニタリング周期は、上位レイヤによってＵＥに設定されてもよい。以下、上位レイヤシグナリングは、例えば、ＲＲＣ（Radio  Resource  Control）シグナリング、ＭＡＣ（Medium  Access  Control）シグナリング（例えば、ＭＡＣ制御要素（ＭＡＣ  ＣＥ（Control  Element））、ＭＡＣ  ＰＤＵ（Protocol  Data  Unit））、ブロードキャスト情報（マスタ情報ブロック（ＭＩＢ：Master  Information  Block）、システム情報ブロック（ＳＩＢ：System  Information  Block））などのいずれか、又はこれらの組み合わせであってもよい。また、物理レイヤシグナリングは、例えばＤＣＩであってもよい。
【００２２】
また、ＰＤＣＣＨモニタリングについて次のモニタリング方法１、２が検討されている。
【００２３】
モニタリング方法１：１４以上のシンボルのＰＤＣＣＨモニタリング周期
【００２４】
モニタリング方法１に対し、次のモニタリング方法１−１、１−２が検討されている。
【００２５】
モニタリング方法１−１：スロットの先頭（beginning）の３以下のＯＦＤＭ（Orthogonal  Frequency  Division  Multiplexing）シンボルにおいてＰＤＣＣＨモニタリングが行われる。
【００２６】
モニタリング方法１−２：スロット内の３以下の連続するＯＦＤＭシンボルの任意の範囲においてＰＤＣＣＨモニタリングが行われる。或るＵＥに対し、全てのサーチスペース構成は、スロット内の３以下の連続するＯＦＤＭシンボルの同一の範囲に配置されてもよい。
【００２７】
モニタリング方法２：１４未満のシンボルのＰＤＣＣＨモニタリング周期
【００２８】
ＰＤＣＣＨモニタリングがスロットの先頭の３以下のＯＦＤＭシンボルにおいて行われてもよい。
【００２９】
また、ＮＲにおいては、シンボル毎の伝送方向（ＵＬ、ＤＬなど）を動的に制御することも検討されている。例えば、スロットのフォーマットに関する情報（スロットフォーマット関連情報（ＳＦＩ：Slot  Format  related  Information）などともいう）を用いて、１つ以上のスロットフォーマットを特定することが検討されている。
【００３０】
スロットフォーマットは、スロット内の所定時間（例えば、所定数のシンボル）ごとの伝送方向、ガード期間（ＧＰ：Guard  Period）、不明（Unknown）リソース（予約リソースなどと呼ばれてもよい）の少なくとも１つを示してもよい。ＳＦＩには、スロットフォーマットを適用するスロットの数に関する情報などが含まれてもよい。
【００３１】
ＧＣ−ＰＤＣＣＨを用いてＳＦＩをＵＥへ動的に通知することが検討されている。ＧＣ−ＰＤＣＣＨは、ＳＦＩ−ＰＤＣＣＨ、ＤＣＩ  ｆｏｒｍａｔ  ２＿０、と呼ばれてもよい。
【００３２】
ＳＦＩを運ぶＧＣ−ＰＤＣＣＨのブラインド復号（ブラインド検出）に対し、設定されたＣＯＲＥＳＥＴ内の共通サーチスペース（Common  Search  Space：ＣＳＳ）又はグループ共通サーチスペース（グループＣＳＳ）内に、設定されたアグリゲーションレベルを有する２以下の復号候補が設定されることが検討されている。
【００３３】
ＧＣ−ＰＤＣＣＨに対し、モニタリング周期が設定されるだけでは、厳密なモニタリング機会（occasion）を決めることができない。モニタリング機会は、モニタリングウィンドウと呼ばれてもよい。
【００３４】
例えば、図１に示すように、ＧＣ−ＰＤＣＣＨのモニタリング周期が５スロットに設定される場合、スロット単位の開始タイミングが異なるモニタリング機会＃０−＃４が利用可能である。したがって、モニタリング周期だけでなく、モニタリングの開始タイミングが設定されることが好ましい。
【００３５】
ＰＤＣＣＨのモニタリング機会を適切に設定する手法を確立しなければ、実装の複雑さの増大、消費電力の増大、スループットの低下などが生じる場合がある。
【００３６】
そこで、本発明者らは、ＰＤＣＣＨのモニタリング機会を適切に設定するための方法を着想した。
【００３７】
以下、本開示に係る実施形態について、図面を参照して詳細に説明する。各実施形態に係る無線通信方法は、それぞれ単独で適用されてもよいし、組み合わせて適用されてもよい。
【００３８】
モニタリング構成（モニタリング機会）を示すパラメータが、ＵＥに設定されてもよい。モニタリング構成は、少なくともモニタリング周期を含む。ＵＥは、モニタリング構成によってモニタリングの時間リソースを決定してもよい。ＣＯＲＥＳＥＴ構成を示すパラメータが、ＵＥに設定されてもよい。コンポーネントキャリア（ＣＣ：Component  Carrier）ごとに１つ又は複数の部分帯域（帯域幅部分、ＢＷＰ：Bandwidth  part）構成を示すパラメータが、ＵＥに設定されてもよい。ＵＥは、ＣＯＲＥＳＥＴ構成及び／又はＢＷＰ構成によって、モニタリングの周波数リソースを決定してもよい。
【００３９】
ＳＣＳ（例えば、ＣＯＲＥＳＥＴ用のＳＣＳ）がＵＥに設定されてもよい。ＳＣＳの決定のためのパラメータが上位レイヤシグナリングによってＵＥに通知されてもよいし、他のパラメータによって暗示的にＵＥに通知されてもよい。
【００４０】
（態様１）
態様１においては、ＰＤＣＣＨのモニタリング（モニタリング構成）に対し、追加パラメータが導入される。
【００４１】
態様１は、通常ＰＤＣＣＨのモニタリングに適用されてもよいし、ＧＣ−ＰＤＣＣＨのモニタリングに適用されてもよい。通常ＰＤＣＣＨのモニタリングのパラメータは、ＧＣ−ＰＤＣＣＨのモニタリングのパラメータと同じであってもよいし、異なってもよい。
【００４２】
また、ＰＤＣＣＨが配置されるＣＯＲＥＳＥＴに対し、次のケース１、ケース２が考えられる。
【００４３】
ケース１：ＣＯＲＥＳＥＴがスロット内の最初のシンボルから始まる。
【００４４】
この場合、次のケース１−１、ケース１−２が考えられる。
【００４５】
ケース１−１：ＣＯＲＥＳＥＴが、１つのＯＦＤＭシンボルに及ぶ。
【００４６】
ケース１−２：ＣＯＲＥＳＥＴが、３以下のＯＦＤＭシンボルに及ぶ。
【００４７】
ケース２：ＣＯＲＥＳＥＴが、スロット内のいずれかのシンボルから始まる。
【００４８】
この場合、次のケース２−１、ケース２−２が考えられる。
【００４９】
ケース２−１：ＣＯＲＥＳＥＴが、１つのＯＦＤＭシンボルに及ぶ。
【００５０】
ケース２−２：ＣＯＲＥＳＥＴが、３以下のＯＦＤＭシンボルに及ぶ。
【００５１】
上記ケースの少なくとも１つの実現のために、次の態様１−１、１−２、１−３の少なくとも１つが適用されてもよい。
【００５２】
＜態様１−１＞
特定の周期内のＰＤＣＣＨの厳密なモニタリング機会（モニタリング構成）を決定するために、スロット単位（スロットレベル）のモニタリングオフセット（スロットオフセット、モニタリングスロットオフセット）を導入する。スロットオフセットの値の範囲は、０スロットから（モニタリング周期−１）スロットまでであってもよい。
【００５３】
ＰＤＣＣＨのモニタリングオフセットがＳＣＳに依存してもよい。図２のテーブルに示すように、異なるＳＣＳに対し、モニタリング周期及びスロットオフセットがサポートされてもよい。
【００５４】
モニタリング周期の決定のためのパラメータがＵＥに設定されてもよい。例えば、テーブル内のＳＣＳに対応するモニタリング周期の複数の候補の１つを示すパラメータ（例えば、候補のインデックス）が上位レイヤシグナリングによって通知されてもよいし、モニタリング周期に関連付けられたパラメータが通知されてもよい。ＵＥは、モニタリング周期の決定のためのパラメータに基づいて、モニタリング周期を決定する。
【００５５】
スロットオフセットの決定のためのパラメータがＵＥに設定されてもよい。例えば、テーブル内のモニタリング周期に対応するスロットオフセットの複数の候補の１つを示すパラメータ（例えば、候補のインデックス）が上位レイヤシグナリングによって通知されてもよいし、スロットオフセットに関連付けられたパラメータが通知されてもよい。ＵＥは、スロットオフセットの決定のためのパラメータに基づいて、スロットオフセットを決定する。
【００５６】
図３に示すように、モニタリング周期が５スロットに設定され、スロットオフセットが２スロットに設定される場合、ＵＥは、モニタリング機会がスロット＃２、＃７であると認識する。
【００５７】
この態様１−１によれば、ＵＥは、モニタリング周期においてモニタリングを行うスロットを特定できる。
【００５８】
＜態様１−２＞
モニタリング機会（モニタリング構成）の決定のために、ＰＤＣＣＨモニタリング（例えば、スロットオフセット）が設定されたスロットにおいて、シンボル単位（シンボルレベル）のモニタリングオフセット（シンボルオフセット、モニタリングシンボルオフセット）を導入する。ＵＥは、シンボルオフセットに基づいてモニタリングの開始シンボルを決定できる。１スロットが１４ＯＦＤＭシンボルである場合、シンボルオフセット（開始シンボル）の値の範囲は、０シンボルから１３シンボルまでであってもよい。
【００５９】
シンボルオフセットの決定のためのパラメータが、ＵＥへ通知されてもよい。シンボルオフセットの複数の候補の１つを示すパラメータ（例えば、シンボルオフセット、又は候補のインデックス）が上位レイヤシグナリングによって通知されてもよいし、シンボルオフセットに関連付けられたパラメータが通知されてもよい。ＵＥは、シンボルオフセットの決定のためのパラメータに基づいて、シンボルオフセットを決定する。
【００６０】
態様１−１に加え、態様１−２が適用されてもよい。
【００６１】
図４に示すように、モニタリング周期が５スロットに設定され、スロットオフセットが２スロットに設定され、シンボルオフセットが３シンボルに設定される場合、ＵＥは、モニタリング機会の開始タイミングがスロット＃２、＃７のそれぞれにおけるシンボル＃３であると認識する。
【００６２】
この態様１−２によれば、ＵＥは、モニタリング周期においてモニタリングの開始シンボルを特定できる。
【００６３】
＜態様１−３＞
モニタリング機会（モニタリング構成）の決定のために、モニタリング時間長（duration）を導入する。モニタリング時間長の値の範囲は１シンボルから３シンボルまでであってもよい。
【００６４】
ＵＥは、モニタリング時間長に基づいて、ＣＯＲＥＳＥＴ時間長を決定してもよい。ＣＯＲＥＳＥＴ時間長は、モニタリング時間長と等しくてもよいし、モニタリング時間長と異なってもよい。
【００６５】
なお、ＣＯＲＥＳＥＴ時間長がＵＥに設定されてもよい。ＣＯＲＥＳＥＴ時間長を含むＣＯＲＥＳＥＴ構成情報（configuration）がＵＥに設定されてもよい。ＵＥは、ＣＯＲＥＳＥＴ時間長に基づいて、モニタリング時間長を決定してもよい。
【００６６】
態様１−１に加え、態様１−３が適用されてもよい。態様１−１、１−２に加え、態様１−３が適用されてもよい。
【００６７】
図５に示すように、モニタリング周期が５スロットに設定され、スロットオフセットが２スロットに設定され、シンボルオフセットが３シンボルに設定され、モニタリング時間長が３シンボルに設定される場合、ＵＥは、モニタリング機会がスロット＃２、＃７のそれぞれにおけるシンボル＃３−＃５であると認識する。
【００６８】
この態様１−３によれば、ＵＥは、モニタリング機会又はＣＯＲＥＳＥＴの時間長を特定できる。
【００６９】
以上の態様１−１、１−２、１−３は、通常ＰＤＣＣＨのモニタリング機会及び／又はＧＣ−ＰＤＣＣＨのモニタリング機会に適用されてもよい。
【００７０】
通常ＰＤＣＣＨ及びＧＣ−ＰＤＣＣＨの少なくとも１つにおいて、スロットオフセット、シンボルオフセット、モニタリング時間長の少なくとも１つがＳＣＳに依存してもよい。
【００７１】
ケース１−１、１−２、２−１、２−２のいずれが用いられるかによって、必要なパラメータは異なる。
【００７２】
例えば、態様１−１を用いることによって、ケース１−１を実現できる。
【００７３】
例えば、態様１−１、１−３を用いることによって、ケース１−２実現できる。
【００７４】
例えば、態様１−１、１−２を用いることによって、ケース２−１を実現できる。
【００７５】
例えば、態様１−１、１−２、１−３を用いることによって、ケース２−２を実現できる。
【００７６】
スロットオフセット及び／又はシンボルオフセットが、モニタリングオフセットと呼ばれてもよい。
【００７７】
（態様２）
ＳＣＳとＰＤＣＣＨのモニタリング機会（モニタリング構成）との関係について、次の前提１、２が考えられる。
【００７８】
前提１：通常ＰＤＣＣＨ及びＧＣ−ＰＤＣＣＨに対して、スロット内のモニタリング機会を決定するために、ＳＣＳに依存するモニタリング周期及びモニタリングオフセットが設定される。
【００７９】
前提２：通常ＰＤＣＣＨに対して、モニタリング周期及びモニタリングオフセットがＳＣＳに依存せず、ＧＣ−ＰＤＣＣＨに対して、モニタリング周期及びモニタリングオフセットがＳＣＳに依存する。
【００８０】
前提１、２のそれぞれにおいて、通常ＰＤＣＣＨ及びＧＣ−ＰＤＣＣＨに対し、モニタリング周期及びモニタリングオフセットをどのように設定するかが問題となる。
【００８１】
次のオプション１、２の１つが適用されてもよい。
【００８２】
＜オプション１＞
通常ＰＤＣＣＨのモニタリングパラメータと、ＧＣ−ＰＤＣＣＨのモニタリングパラメータとが、独立に設定されてもよい。具体的には、次のオプション１−１、１−２の一つが適用されてもよい。
【００８３】
《オプション１−１》
通常ＰＤＣＣＨのモニタリングパラメータと、ＧＣ−ＰＤＣＣＨのモニタリングパラメータとが、上位レイヤシグナリングによってＵＥへ設定されてもよい。
【００８４】
スロット単位の通常ＰＤＣＣＨモニタリング周期が、上位レイヤパラメータ（例えば、Monitoring-periodicity-PDCCH-slot）によってＵＥへ通知されてもよい。
【００８５】
スロット単位の通常ＰＤＣＣＨモニタリングオフセットが、上位レイヤパラメータ（例えば、Monitoring-offset-PDCCH-slot）によってＵＥへ通知されてもよい。
【００８６】
スロット単位のＧＣ−ＰＤＣＣＨモニタリング周期が、上位レイヤパラメータ（例えば、SFI-monitoring-periodicity）によってＵＥへ通知されてもよい。
【００８７】
スロット単位のＧＣ−ＰＤＣＣＨモニタリングオフセットが、上位レイヤパラメータ（例えば、SFI-monitoring- offset）によってＵＥへ通知されてもよい。
【００８８】
通常ＰＤＣＣＨに対するシンボルオフセットが上位レイヤパラメータによってＵＥへ通知されてもよいし、ＧＣ−ＰＤＣＣＨに対するシンボルオフセットが上位レイヤパラメータによってＵＥへ通知されてもよい。通常ＰＤＣＣＨに対するモニタリング時間長が上位レイヤパラメータによってＵＥへ通知されてもよいし、ＧＣ−ＰＤＣＣＨに対するモニタリング時間長が上位レイヤパラメータによってＵＥへ通知されてもよい。
【００８９】
《オプション１−２》
通常ＰＤＣＣＨ及び／又はＧＣ−ＰＤＣＣＨに対し、モニタリングのためのパラメータセット（パラメータ構成）が予め設定（又は規定）されてもよい。パラメータセットは、上位レイヤシグナリングによって設定されてもよいし、仕様に規定されてもよい。
【００９０】
図６に示すように、複数のパラメータセット（エントリ）を含むテーブルが用いられてもよい。各パラメータセットは、ＰＤＣＣＨモニタリング構成（configuration）インデックスＩＭ（又はその範囲）と、モニタリング周期Ｎmonitoring［スロット］と、スロットオフセットＴoffset［スロット］と、を含む。一部のパラメータセットが、予備（reserved）であってもよい。スロットオフセットは、ＩＭを用いる式によって表されてもよい。
【００９１】
各エントリが、シンボルオフセット及び／又はモニタリング時間長を含んでもよい。
【００９２】
通常ＰＤＣＣＨ及びＧＣ−ＰＤＣＣＨに対して共通のテーブルが用いられてもよいし、通常ＰＤＣＣＨのためのテーブルと、ＧＣ−ＰＤＣＣＨのためのテーブルと、が用いられてもよい。
【００９３】
通常ＰＤＣＣＨのためのＰＤＣＣＨモニタリング構成インデックス（通常ＰＤＣＣＨモニタリング構成インデックス）がＵＥに設定されてもよい。通常ＰＤＣＣＨモニタリング構成インデックスは、上位レイヤシグナリングによって通知されてもよい。ＵＥは、テーブルから、通常ＰＤＣＣＨモニタリング構成インデックスに対応するパラメータセットを決定する。
【００９４】
ＧＣ−ＰＤＣＣＨのためのＰＤＣＣＨモニタリング構成インデックス（ＧＣ−ＰＤＣＣＨモニタリング構成インデックス）がＵＥに設定されてもよい。ＧＣ−ＰＤＣＣＨモニタリング構成インデックスは、上位レイヤシグナリングによって通知されてもよい。ＵＥは、テーブルから、ＧＣ−ＰＤＣＣＨモニタリング構成インデックスに対応するパラメータセットを決定する。
【００９５】
ＧＣ−ＰＤＣＣＨに対し、次のオプション１−２−１、１−２−２の１つが適用されてもよい。
【００９６】
＜＜オプション１−２−１＞＞
各ＳＣＳのパラメータセットに対して独立に、ＧＣ−ＰＤＣＣＨモニタリング構成インデックスが与えられてもよい。
【００９７】
図７ＡはＳＣＳ＝１５ｋＨｚに対するＧＣ−ＰＤＣＣＨ用パラメータセットのテーブルを示し、図７ＢはＳＣＳ＝３０ｋＨｚに対するＧＣ−ＰＤＣＣＨ用パラメータセットのテーブルを示し、図８ＡはＳＣＳ＝６０ｋＨｚに対するＧＣ−ＰＤＣＣＨ用パラメータセットのテーブルを示し、図８ＢはＳＣＳ＝１２０ｋＨｚに対するＧＣ−ＰＤＣＣＨ用パラメータセットのテーブルを示す。
【００９８】
各テーブルは、複数のパラメータセット（エントリ）を含む。各パラメータセットは、ＧＣ−ＰＤＣＣＨモニタリング構成（configuration）インデックスＩＧＣ−Ｍ（又はその範囲）と、モニタリング周期Ｎmonitoring［スロット］と、スロットオフセットＴoffset［スロット］と、を含む。一部のパラメータセットが、予備（reserved）であってもよい。スロットオフセットは、ＩＧＣ−Ｍを用いる式によって表されてもよい。ＩＧＣ−Ｍは、ＩＳＦＩ−Ｍと表されてもよい。
【００９９】
ＵＥは、ＧＣ−ＰＤＣＣＨをモニタリングする際に参照するＣＯＲＥＳＥＴに設定されたＳＣＳ、またはＧＣ−ＰＤＣＣＨをモニタリングする際に参照するＣＯＲＥＳＥＴが設定された部分帯域幅（ＢＷＰ：Ｂａｎｄｗｉｄｔｈ  Ｐａｒｔ）に対して設定されたＳＣＳに基づいて参照するテーブルを決定し、ＧＣ−ＰＤＣＣＨモニタリング構成インデックスによってパラメータセットを決定する。言い換えれば、ＵＥは、ＧＣ−ＰＤＣＣＨをモニタリングする際に参照するＣＯＲＥＳＥＴに設定されたＳＣＳ、またはＧＣ−ＰＤＣＣＨをモニタリングする際に参照するＣＯＲＥＳＥＴが設定された部分帯域幅（ＢＷＰ：Ｂａｎｄｗｉｄｔｈ  Ｐａｒｔ）に対して設定されたＳＣＳに基づいて異なるテーブルを読む。
【０１００】
＜＜オプション１−２−２＞＞
全てのＳＣＳのパラメータセットを連結したパラメータセットに対して、ＧＣ−ＰＤＣＣＨモニタリング構成インデックスが与えられてもよい。
【０１０１】
図９に示すように、複数のパラメータセット（エントリ）を含むテーブルが用いられてもよい。各パラメータセットは、ＧＣ−ＰＤＣＣＨモニタリング構成（configuration）インデックスＩＧＣ−Ｍ（又はその範囲）と、ＳＣＳ［ｋＨｚ］と、モニタリング周期Ｎmonitoring［スロット］と、スロットオフセットＴoffset［スロット］と、を含む。一部のパラメータセットが、予備（reserved）であってもよい。スロットオフセットは、ＩＧＣ−Ｍを用いる式によって表されてもよい。
【０１０２】
図９は、モニタリング周期の昇順にソートされたパラメータセットに対して、ＧＣ−ＰＤＣＣＨモニタリング構成インデックスが与えられている。図９の代わりに図１０のようなテーブルが用いられてもよい。図１０に含まれる情報は、図９と同様であるが、ＳＣＳの昇順にソートされたパラメータセットに対して、ＧＣ−ＰＤＣＣＨモニタリング構成インデックスが与えられている。
【０１０３】
以上のオプション１−２によれば、ＵＥは、１つのパラメータの通知によって、モニタリング周期及びスロットオフセットを決定できるため、オプション１−１に比べて通知のオーバーヘッドを抑えることができる。
【０１０４】
＜オプション２＞
通常ＰＤＣＣＨのモニタリングパラメータと、ＧＣ−ＰＤＣＣＨのモニタリングパラメータとが、共通であってもよい。具体的には、次のオプション２−１、２−２の一つが適用されてもよい。
【０１０５】
《オプション２−１》
ＰＤＣＣＨのモニタリングのための複数のパラメータのそれぞれが独立して、上位レイヤシグナリングによってＵＥへ設定されてもよい。
【０１０６】
スロット単位のＰＤＣＣＨモニタリング周期が、上位レイヤパラメータ（例えば、Monitoring-periodicity-PDCCH-slot）によってＵＥへ通知されてもよい。このＰＤＣＣＨモニタリング周期は、通常ＰＤＣＣＨ及びＧＣ−ＰＤＣＣＨの両方に適用されてもよい。
【０１０７】
スロット単位のＰＤＣＣＨモニタリングオフセットが、上位レイヤパラメータ（例えば、Monitoring-offset-PDCCH-slot）によってＵＥへ通知されてもよい。このＰＤＣＣＨモニタリングオフセットは、通常ＰＤＣＣＨ及びＧＣ−ＰＤＣＣＨの両方に適用されてもよい。
【０１０８】
以上のオプション１−２によれば、ＵＥは、１つのパラメータの通知によって通常ＰＤＣＣＨ及びＧＣ−ＰＤＣＣＨの両方に対するパラメータを決定できるため、オプション１−１に比べて通知のオーバーヘッドを抑えることができる。
【０１０９】
《オプション２−２》
通常ＰＤＣＣＨ及びＧＣ−ＰＤＣＣＨのモニタリングのために、共通のパラメータセット（パラメータ構成）が予め設定（又は規定）されてもよい。パラメータセットは、上位レイヤシグナリングによって設定されてもよいし、仕様に規定されてもよい。通常ＰＤＣＣＨ及びＧＣ−ＰＤＣＣＨに対して共通のパラメータセットは、共通パラメータセットと呼ばれてもよい。
【０１１０】
通常ＰＤＣＣＨ及び／又はＧＣ−ＰＤＣＣＨのためのＰＤＣＣＨモニタリング構成インデックスがＵＥに設定されてもよい。ＰＤＣＣＨモニタリング構成インデックスは、上位レイヤシグナリングによって通知されてもよい。ＵＥは、テーブルから、設定されたＰＤＣＣＨモニタリング構成インデックスに対応するパラメータセットを決定する。
【０１１１】
ＧＣ−ＰＤＣＣＨに対し、次のオプション２−２−１、２−２−２の１つが適用されてもよい。
【０１１２】
＜＜オプション２−２−１＞＞
各ＳＣＳのパラメータセットに対して独立に、ＰＤＣＣＨモニタリング構成インデックスが与えられてもよい。
【０１１３】
図１１ＡはＳＣＳ＝１５ｋＨｚに対する共通パラメータセットのテーブルを示し、図１１ＢはＳＣＳ＝３０ｋＨｚに対する共通パラメータセットのテーブルを示し、図１２ＡはＳＣＳ＝６０ｋＨｚに対する共通パラメータセットのテーブルを示し、図１２ＢはＳＣＳ＝１２０ｋＨｚに対する共通パラメータセットのテーブルを示す。
【０１１４】
各テーブルは、複数のパラメータセット（エントリ）を含む。各パラメータセットは、ＰＤＣＣＨモニタリング構成（configuration）インデックスＩＭ（又はその範囲）と、モニタリング周期Ｎmonitoring［スロット］と、スロットオフセットＴoffset［スロット］と、を含む。一部のパラメータセットが、予備（reserved）であってもよい。スロットオフセットは、ＩＭを用いる式によって表されてもよい。
【０１１５】
ＵＥは、ＣＯＲＥＳＥＴに設定されたＳＣＳによってテーブルを決定し、ＧＣ−ＰＤＣＣＨモニタリング構成インデックスによってパラメータセットを決定する。言い換えれば、ＵＥは、ＣＯＲＥＳＥＴに設定されたＳＣＳによって異なるテーブルを読む。
【０１１６】
＜＜オプション２−２−２＞＞
全てのＳＣＳのパラメータセットを連結したパラメータセットに対して、ＧＣ−ＰＤＣＣＨモニタリング構成インデックスが与えられてもよい。
【０１１７】
図１３に示すように、テーブルは、複数のパラメータセット（エントリ）を含む。各パラメータセットは、ＰＤＣＣＨモニタリング構成（configuration）インデックスＩＭ（又はその範囲）と、ＳＣＳ［ｋＨｚ］と、モニタリング周期Ｎmonitoring［スロット］と、スロットオフセットＴoffset［スロット］と、を含む。一部のパラメータセットが、予備（reserved）であってもよい。
【０１１８】
図１３は、モニタリング周期の昇順にソートされたパラメータセットに対して、ＰＤＣＣＨモニタリング構成インデックスが与えられている。図１３の代わりに図１４のようなテーブルが用いられてもよい。図１４に含まれる情報は、図１３と同様であるが、ＳＣＳの昇順にソートされたパラメータセットに対して、ＰＤＣＣＨモニタリング構成インデックスが与えられている。
【０１１９】
以上のオプション２−２によれば、ＵＥは、１つのパラメータの通知によって、通常ＰＤＣＣＨ及びＧＣ−ＰＤＣＣＨの両方に対するモニタリング周期及びスロットオフセットを決定できるため、オプション１−２に比べて通知のオーバーヘッドを抑えることができる。
【０１２０】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１２１】
図１５は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２２】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２３】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２４】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１２５】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２６】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１２７】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１２８】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１２９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１３０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１３１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３４】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３５】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１３６】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３７】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１３９】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１４０】
（無線基地局）
図１６は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１４１】
下りリンクによって無線基地局１０からユーザ端末２０に送信されるユーザデータは、上位局装置３０から伝送路インターフェース１０６を介してベースバンド信号処理部１０４に入力される。
【０１４２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４３】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４４】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４７】
また、送受信部１０３は、ユーザ端末２０に、通常ＰＤＣＣＨ、ＧＣ−ＰＤＣＣＨなどを介して下り制御情報（ＤＣＩ）を送信する。
【０１４８】
送受信部１０３は、モニタＢＷＰ／ＣＣ用のＰＤＣＣＨモニタリング周期に関する情報、ニューメロロジーとモニタリング周期との対応関係に関する情報、セル固有モニタリング周期に関する情報、ＢＷＰ固有モニタリング周期に関する情報、ＣＣ固有モニタリング周期に関する情報などを、ユーザ端末２０に送信してもよい。
【０１４９】
図１７は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１５０】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１５１】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１５２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５３】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１５４】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１５５】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１５６】
また、制御部３０１は、下り制御チャネルのモニタリング構成を決定し、モニタリング構成に関する情報（例えば、モニタリング周期、スロットオフセット、シンボルオフセット、モニタリング時間長）をユーザ端末２０へ通知してもよい。
【０１５７】
ここでの下り制御チャネルは、例えば、通常ＰＤＣＣＨ、ＧＣ−ＰＤＣＣＨなどであってもよい。また、周波数リソースにおける制御は、ＳＦＩに基づく当該周波数リソースの送受信処理、スケジューリング（ＤＬアサインメント、ＵＬグラントなど）に基づく当該周波数リソースの送受信処理などであってもよい。
【０１５８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５９】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１６０】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１６１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１６２】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１６３】
測定部３０５は、受信した信号に関する測定を実施する。測定部３０５は、本開示に係る技術分野での共通認識に基づいて説明される測定器、測定回路又は測定装置から構成することができる。
【０１６４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６５】
（ユーザ端末）
図１８は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１６９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１７０】
また、送受信部２０３は、下り制御チャネル（例えば、通常ＰＤＣＣＨ及び／又はＧＣ−ＰＤＣＣＨ）を受信してもよい。
【０１７１】
また、送受信部２０３は、通常ＰＤＣＣＨ、ＧＣ−ＰＤＣＣＨなどを介して下り制御情報（ＤＣＩ）を受信してもよい。例えば、ＤＣＩはＳＦＩを含んでもよい。
【０１７２】
送受信部２０３は、ＰＤＣＣＨモニタリング構成（例えば、モニタリング周期、スロットオフセット、シンボルオフセット、モニタリング時間長）に関する情報、ニューメロロジー（例えば、ＳＣＳ）とモニタリング構成との対応関係に関する情報、ＣＯＲＥＳＥＴ構成に関する情報、ＳＣＳに関する情報などを、無線基地局１０から受信してもよい。
【０１７３】
図１９は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１７４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７５】
制御部４０１は、ユーザ端末２０全体の制御を実施する。制御部４０１は、本開示に係る技術分野での共通認識に基づいて説明されるコントローラ、制御回路又は制御装置から構成することができる。
【０１７６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１７７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７８】
また、制御部４０１は、サブキャリア間隔を設定されてもよい。また、制御部４０１は、下り制御チャネル（例えば、通常ＰＤＣＣＨ及び／又はＧＣ−ＰＤＣＣＨ）のモニタリングに対し、サブキャリア間隔に関連付けられた、周期及び開始タイミングのオフセットを用いて、モニタリングを制御してもよい。
【０１７９】
また、制御部４０１は、サブキャリア間隔に関連付けられた、スロット単位のオフセット（スロットオフセット、モニタリングオフセット）、シンボル単位のオフセット（シンボルオフセット）、モニタリングの時間長（duration）、の少なくとも１つを用いて、モニタリングを制御してもよい（態様１）。
【０１８０】
また、制御部４０１は、ユーザ端末２０に固有の第１下り制御チャネル（例えば、通常ＰＤＣＣＨ）のモニタリングの周期及びオフセットを決定し、ユーザ端末グループに共通の第２下り制御チャネル（例えば、ＧＣ−ＰＤＣＣＨ）のモニタリングの周期及びオフセットを決定してもよい（態様２／オプション１）。
【０１８１】
また、制御部４０１は、ユーザ端末に固有の第１下り制御チャネルのモニタリングと、ユーザ端末のグループに共通の第２下り制御チャネルのモニタリングと、の両方に用いられる周期及びオフセットを決定してもよい（態様２／オプション２）。
【０１８２】
また、制御部４０１は、それぞれが周期及びオフセットを含む複数のパラメータセットが予め設定され、複数のパラメータセットの１つを用いて、第１下り制御チャネル及び第２下り制御チャネルの少なくとも１つのモニタリングを制御してもよい（態様２／オプション１−２、２−２）。
【０１８３】
また、制御部４０１は、無線基地局１０から通知された各種情報を受信信号処理部４０４から取得した場合、当該情報に基づいて制御に用いるパラメータを更新してもよい。
【０１８４】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１８５】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１８６】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８７】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８８】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１８９】
測定部４０５は、受信した信号に関する測定を実施する。測定部４０５は、本開示に係る技術分野での共通認識に基づいて説明される測定器、測定回路又は測定装置から構成することができる。
【０１９０】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１９１】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１９２】
例えば、本開示の一実施形態における無線基地局、ユーザ端末などは、本開示の無線通信方法の処理を行うコンピュータとして機能してもよい。図２０は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９３】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９４】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９５】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１９６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９７】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９８】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１９９】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２００】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２０１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０３】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０４】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０５】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２０６】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２０７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０８】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０９】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２１０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２１２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１６】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１７】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１８】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１９】
また、情報、信号などは、上位レイヤから下位レイヤ、及び／又は下位レイヤから上位レイヤへ出力され得る。情報、信号などは、複数のネットワークノードを介して入出力されてもよい。
【０２２０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２１】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２７】
本明細書において使用する「システム」及び「ネットワーク」という用語は、互換的に使用される。
【０２２８】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２２９】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３０】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２３１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３２】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２３３】
同様に、本明細書におけるユーザ端末は、無線基地局で読み替えてもよい。この場合、上述のユーザ端末２０が有する機能を無線基地局１０が有する構成としてもよい。
【０２３４】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３５】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３６】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３７】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３８】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２３９】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４０】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２４１】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２４２】
本明細書において、「ＡとＢが異なる」という用語は、「ＡとＢが互いに異なる」ことを意味してもよい。「離れる」、「結合される」などの用語も同様に解釈されてもよい。
【０２４３】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４４】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019142272.tif 000003
【図２】
2019142272.tif 000004
【図３】
2019142272.tif 000005
【図４】
2019142272.tif 000006
【図５】
2019142272.tif 000007
【図６】
2019142272.tif 000008
【図７】
2019142272.tif 000009
【図８】
2019142272.tif 000010
【図９】
2019142272.tif 000011
【図１０】
2019142272.tif 000012
【図１１】
2019142272.tif 000013
【図１２】
2019142272.tif 000014
【図１３】
2019142272.tif 000015
【図１４】
2019142272.tif 000016
【図１５】
2019142272.tif 000017
【図１６】
2019142272.tif 000018
【図１７】
2019142272.tif 000019
【図１８】
2019142272.tif 000020
【図１９】
2019142272.tif 000021
【図２０】
2019142272.tif 000022
【国際調査報告】
2019142272.tif 000023
2019142272.tif 000024
2019142272.tif 000025
2019142272.tif 000026